(57)【特許請求の範囲】
【請求項１】
相手方多極コネクタの挿抜口を有するハウジングに、上記挿抜口に挿入された上記相手方多極コネクタに具備されている相手方電極が接触する多数の電極が収容され、かつ、上記ハウジングの内部空間において上記挿抜口を閉じる閉位置と上記挿抜口を開放する開位置との間で開閉動されるシャッターを備えたシャッター付き多極コネクタにおいて、
上記シャッターが導電性を有しかつこのシャッターが閉位置に向けて常時弾発付勢されていると共に、このシャッターが閉位置に位置しているときにこのシャッターの一部を形成している当り部が接触し、このシャッターが閉位置から開位置に向けて開動されることによって上記当り部が離反するアース接片が上記ハウジングに収容されているシャッター付き多極コネクタであって、
上記ハウジングの横方向端部壁面に形成された凹所に板片状の導体が収容されていて、この導体の前端部に上記凹所内で上方に突き出た上記アース接片が一体に形成され、上記シャッターの横方向端部に、このシャッターが閉位置に位置しているときに上記アース接片の後端面に係合し、このシャッターが閉位置から開位置に向けて開動されることによってそのアース接片の後端面から離脱する係合爪が具備されていると共に、この係合爪の上記アース接片の後端面に対する係脱箇所が上記当り部として形成されていることを特徴とするシャッター付き多極コネクタ。
【請求項２】
上記シャッターが導電性樹脂材料で一体成形されている請求項１に記載したシャッター付き多極コネクタ。
【請求項３】
上記ハウジングが横長中空の箱形に形成されていて、このハウジングの底壁の横方向複数箇所に並べて、上記底壁の前縁部に具備された横方向に延びる前側凸条とこの前側凸条から上記底壁の後部側に延び出た左右の側部凸条とによって囲まれた多数の凹所が形成され、それらの凹所のそれぞれに上記電極が収容されていると共に、上記前側凸条及び側部凸条の上端面が、上記電極の上面よりも高位に位置している請求項１又は請求項２に記載したシャッター付き多極コネクタ。
【請求項４】
上記シャッターの下端又は上記前側凸条に、このシャッターの下端縁と上記電極との間に隙間スペースを確保するための突起が突き出されている請求項３に記載したシャッター付き多極コネクタ。
【請求項５】
上記シャッターが上記ハウジングに前後移動可能に収容されていると共に、このシャッターの開閉動方向がハウジングの前後方向に一致しており、シャッターとハウジングの後壁との間に、シャッターを閉位置に向けて常時弾発付勢するばね体が介在されている請求項１ないし請求項４のいずれかに記載したシャッター付き多極コネクタ。
【発明の詳細な説明】
【０００１】
【発明の属する技術分野】
本発明は、シャッター付き多極コネクタ、特に携帯型電話機などの携帯端末機器のＩＯポートなどに利用される薄型のシャッター付き多極コネクタに関する。
【０００２】
【従来の技術】
実開平６−５０２７０号公報（第１先行例）に防塵対策を施した小形コネクタについての記載がある。このものは、内壁面に重ね合わされた電極を収容しているハウジングの内部に、そのハウジングのプラグ嵌合用の嵌合孔を塞ぐ閉位置とその後方の開位置との間でスライドされるスライダが配備され、このスライダが常時閉位置側に向けて弾発付勢されていて、上記嵌合孔に挿入されてきた相手方コネクタ（プラグ）によって上記スライダが弾発付勢力に抗して閉位置から開位置まで押し込まれるようになっている。また、このスライダには、閉位置で上記電極に接触し、開位置で上記電極から離反するスライド電極が備わっていて、スライド電極がハウジング側の電極から離反することによって、上記嵌合孔に相手方コネクタが挿入されたことを検出することができるようになっている。
【０００３】
また、実登２６０１８００号公報（第２先行例）にはジャック型コネクタについての記載がある。このものは、電極を収容しているハウジングをシールドフレームによって取り囲み、そのハウジングのプラグ挿入孔を開閉する蓋体を金属部材でなる導電体で形成しておいて、相手方コネクタとしてのプラグが挿入されたときにその蓋体がプラグにより押込み開動されてその蓋体に一体に具備されている接片部が上記シールドフレームに接触するようになっている。
【０００４】
さらに、実開平６−５４２６０号公報（第３先行例）には、電極を収容しているハウジングをシールドフレームによって取り囲み、そのハウジングのプラグ挿入孔を開閉するためのシャッターを金属部材でなる導電材料で形成すると共に、このシャッターが開時及び閉時に係わらず上記シールドフレームに常時接続されている電気コネクタについての記載がある。
【０００５】
【発明が解決しようとする課題】
第１ないし第３の各先行例は、いずれも、相手方コネクタが挿入されていないときに、ハウジングの内部空間がスライダ、蓋体又はシャッターによって塞がれて防塵されるようになっている。
【０００６】
また、第１先行例では、スライダがハウジングの内部で前後方向に開閉動するので、スライダの開時の収容スペースをハウジングの後部に確保するだけでよく、ハウジング内の上側又は下側にスライダの開時の収容スペースを確保しなくて済むので、ハウジングの薄形化を図りやすいという利点がある。
【０００７】
しかしながら、第１先行例では、スライダに合成樹脂成形体が用いられていて、このスライダ自体には、ハウジングに収容されている電極を電磁波シールドする性質が備わっていない。そのため、ハウジングをたとえば携帯端末機器に組み込み、そのハウジングに収容されている電極を携帯端末機器の電子素子などに電気的に接続してある場合には、相手方コネクタがハウジングに挿入されていない未使用時にスライダでそのハウジングの嵌合孔が塞がれているとしても、外部電磁波の影響がスライダによって遮断されずに電極ひいては電子素子に及び、電子素子などが静電破壊されるといった事態を生じるおそれがある。
【０００８】
これに対し、第２及び第３の各先行例は、相手方コネクタが挿入されてきたときに、蓋体又はシャッター（以下「シャッターなど」という）がその相手方コネクタにより押し込まれて水平軸を中心に開方向に揺動し、ハウジングの上壁又は下壁に重なり状に収容されて相手方コネクタとハウジングの上壁又は下壁との間に挾み込まれるようになっているので、シャッターなどの開時の収容スペースをハウジング内の上側又は下側に確保する必要が生じ、そのことがハウジングの薄形化を阻害する要因になる。
【０００９】
その反面で、第２又は第３の各先行例では、シャッターなどが導電性を備えた金属部材で製作されており、しかも、少なくとも閉時にはそれらのシャッターなどがハウジングを取り囲んでいるシールドフレームに電気的に導通されるようになっているので、ハウジングの内部空間がシャッターなどによって塞がれている未使用時に、それらのシャッターなどが外部電磁波を遮断する作用を発揮して、ハウジングに収容されている電極やその電極に電気的に接続された電子素子などの静電破壊が防止されるという利点がある。
【００１０】
しかし、シャッターなどを金属部材で製作すると、シャッターなどに開閉揺動動作に必要となる要素であるボスやリブをプレス成形で形成する場合に複雑な曲げ形状が必要になったり、ばね体を止めるためのばね受け片などを切起し形成したりするといった必要が生じるので、シャッター前面のデザインがその曲り箇所や切起し跡に残る孔で損なわれるという事態が起こるという問題がある。加えて、摺動性を高めるための切断面処理を行う必要であるので、それだけ製作コストが高くつくという問題がある。
【００１１】
そこで、シャッターなどを、電磁波遮断機能を具備させるために必要になる導電性を備えた部分とボスなどの機構部分とに分け、導電性を備えた部分を金属部材で形成し、その金属部材を機構部分を形成する合成樹脂部と共にインサート成形することが考えられる。しかし、そのようにすると、金型や成形のための工賃が高くなって全体としてコスト高になるという問題がある。
【００１２】
一方、従来より、携帯電話機などの携帯端末機器のＩＯポートを形成している多極コネクタでは、誘電体であるエラストマなどを用いた合成樹脂成形体でなるカバーを着脱することができるようにして防塵対策としているけれども、この多極コネクタの未使用時の静電破壊防止のための対策は特に講じられていなかった。
【００１３】
本発明は以上の状況に鑑みてなされたものであり、未使用時の防塵作用がシャッターによって有効に発揮されることは勿論、未使用時には、シャッター自体が外部電磁波の遮断作用を顕著に発揮して、ハウジングに収容されている電極及びその電極に電気的に導通された携帯端末機器などの電子素子の静電破壊を防ぐ作用が奏されるシャッター付き多極コネクタを提供することを目的とする。
【００１４】
また、本発明は、シャッターの製作コストが安く抑えられて全体としてコストダウンを図りやすく、しかも、シャッターに文字や記号などを表示しやすくして全体のデザイン性を高めやすいシャッター付き多極コネクタを提供することを目的とする。
【００１５】
さらに、本発明は、シャッター自体に導電性を持たせてあるにもかかわらず、ハウジングに密に収容されている多数の電極相互間の電気絶縁性を高めやすいシャッター付き多極コネクタを提供することを目的とする。
【００１６】
【課題を解決するための手段】
本発明に係るシャッター付き多極コネクタは、相手方多極コネクタの挿抜口を有するハウジングに、上記挿抜口に挿入された上記相手方多極コネクタに具備されている相手方電極が接触する多数の電極が収容され、かつ、上記ハウジングの内部空間において上記挿抜口を閉じる閉位置と上記挿抜口を開放する開位置との間で開閉動されるシャッターを備えている。この構成であれば、シャッターがハウジングの内部空間において閉位置と開位置との間を開閉動するのでシャッターがハウジングの外側に突き出さなくなり、当該コネクタの設置スペースとしてハウジングの大きさより広いスペースを確保する必要がない。そのため、携帯電話機などの携帯端末機器のような小形機器に組み付けるシャッター付き多極コネクタとして有益である。
【００１７】
本発明では、上記シャッターが導電性を有しかつこのシャッターが閉位置に向けて常時弾発付勢されていると共に、このシャッターが閉位置に位置しているときにこのシャッターの一部を形成している当り部が接触し、このシャッターが閉位置から開位置に向けて開動されることによって上記当り部が離反するアース接片が上記ハウジングに収容されている。これによれば、相手方多極コネクタがハウジングに挿入されていない未使用時にシャッターが閉位置に位置して挿抜口が閉じられているためその挿抜口からハウジングの内部に塵芥が入らなくなり、ハウジングに収容されている電極やアース接片が防塵されてそれらに対する相手方電極や当り部の接触安定性が向上する。
【００１８】
また、シャッターが導電性を有し、そのシャッターが閉位置に位置しているときにはシャッターの一部を形成している当り部がアース接片に接触しているので、シャッター自体が電磁波シールド性を発揮して外部電磁波を遮断する。そのため、ハウジングに収容されている電極やその電極に電気的に接続される電子素子などの静電破壊が防止される。
【００１９】
そして、本発明では、上記ハウジングの横方向端部壁面に形成された凹所に板片状の導体が収容されていて、この導体の前端部に上記凹所内で上方に突き出た上記アース接片が一体に形成され、上記シャッターの横方向端部に、このシャッターが閉位置に位置しているときに上記アース接片の後端面に係合し、このシャッターが閉位置から開位置に向けて開動されることによってそのアース接片の後端面から離脱する係合爪が具備されていると共に、この係合爪の上記アース接片の後端面に対する係脱箇所が上記当り部として形成されている、という構成を採用することにより、シャッターがハウジングから脱落するという事態が、係合爪とアース接片の後端面との係合によって防止される。そのため、シャッターの脱落防止するための手段を別途設ける必要がなくなってそれだけ構造が簡単になる。また、このような脱落防止作用を発揮する係合爪に上記当り部を形成してあるので、当り部を別途設ける必要がなくなり、これによっても構造の簡略化が促進される。
【００２０】
本発明では、上記シャッターが導電性樹脂材料で一体成形されていることが望ましい。これによれば、シャッターを容易かつ安価に一体成形することが可能になるだけでなく、成形用金型に彫刻を施しておくだけでシャッターの表面に文字や記号などを立体的に表示させることが可能になり、さらに、導電性樹脂材料を調色しておくことによって塗装を施すことなくシャッターを色付けすることが可能になる。そのため、シャッターのデザインや色を、当該多極コネクタが組み込まれる携帯端末機器などの外観にマッチさせることが容易である。
【００２１】
本発明では、上記ハウジングが横長中空の箱形に形成されていて、このハウジングの底壁の横方向複数箇所に並べて、上記底壁の前縁部に具備された横方向に延びる前側凸条とこの前側凸条から上記底壁の後部側に延び出た左右の側部凸条とによって囲まれた多数の凹所が形成され、それらの凹所のそれぞれに上記電極が収容されていると共に、上記前側凸条及び側部凸条の上端面が、上記電極の上面よりも高位に位置している、という構成を採用することが望ましい。
【００２２】
これによれば、シャッターの下端縁が上記前側凸条や側部凸条の上端面に摺接しても、シャッターと電極の上面との間に隙間が確保されるので、導電性のシャッターが電極に接触して電極が相互に短絡してしまうという事態が起こらなくなる。このため、当該多極コネクタを超薄型に形成しても、導電性のシャッターが電極に接触することに伴う誤信号の発生などが防止されて性能安定性が向上する。
【００２３】
本発明では、上記シャッターの下端又は上記前側凸条に、このシャッターの下端縁と上記電極との間に隙間スペースを確保するための突起が突き出されていることが望ましく、そのようになっていると、シャッターの下端縁と上記電極との間に電気絶縁性を高めるための隙間スペースが確保され、しかも、電極とシャッターとの間の沿面距離が長くなって上記した性能安定性がいっそう向上する。なお、突起は、シャッターの下端縁だけに突き出されていても、前側凸条だけに突き出されていても、シャッターの下端縁と前側凸条との両方に突き出されていてもよい。
【００２４】
本発明では、上記シャッターが上記ハウジングに前後移動可能に収容されていると共に、このシャッターの開閉動方向がハウジングの前後方向に一致しており、シャッターとハウジングの後壁との間に、シャッターを閉位置に向けて常時弾発付勢するばね体が介在されている、という構成を採用することが可能であり、これによれば、冒頭で説明した第１先行例と同様に、シャッターがハウジングの内部で前後方向に開閉動するだけであるので、シャッター開時の収容スペースをハウジングの後部に確保するだけでよく、ハウジング内の上側又は下側にシャッター開時の収容スペースを確保しなくて済むので、ハウジングの薄形化を図りやすい。
【００２５】
【発明の実施の形態】
図１は本発明に係るシャッター付き多極コネクタの実施形態を示した正面図、図２は図１のＩＩ−ＩＩ線に沿う部分を拡大した概略垂直断面図、図３は図１のＩＩＩ−ＩＩＩ線に沿う部分を拡大した概略垂直断面図、図４は図３のＩＶ−ＩＶ線に沿う部分の概略水平断面図、図５は電極３の配列パターンなどを説明するために要部を拡大して示した概略水平断面図、図６は相手方多極プラグが挿入された状態での図２に相応する概略垂直断面図、図７は相手方多極プラグが挿入された状態での図４に相応する概略水平断面図である。
【００２６】
このシャッター付き多極コネクタは、携帯端末機器としての携帯電話機に組み込まれてＩＯポートを形成させることに利用される。このコネクタにおいて、偏平な横長中空のハウジング１は、その左右の両端部に、相手方多極コネクタ１００（図６及び図７参照）の脱落を防ぐための係合部１２，１２を一体に備えている。また、ハウジング１は電気絶縁性に優れた合成樹脂の一体成形体でなり、底壁１３、底壁１３に対向する上壁１４、底壁１３と上壁１４とを左右両側で連結している左右の端部壁１５，１５及び後壁１６を有していると共に、後壁１６はその下部が凹入状に凹んでその凹み部分１６ａによって接片収容空間１７が形成されている。図２又は図５などに示したように、底壁１３の等間隔おきの複数箇所には横方向に並んだ凹所２１が形成されている。これらの凹所２１のそれぞれは、底壁１３の前縁部に具備された横方向に延びる前側凸条２２とこの前側凸条２２から底壁１３の後部側に延び出た左右の側部凸条２３，２３と上記後壁１６とによって囲まれて矩形に形成されている。そして、それらの凹所２１のそれぞれに細長板状の電極３が収容されている。そして、上記各凸条２２，２３は同一の高さ寸法を有していると共に、それらの高さ寸法が電極３の厚さ寸法よりも少し長くなっている。そのため、前側凸条２２及び左右の側部凸条２３の上端面が、凹所２１の底面に重ね合わされた電極３の上面３３よりも寸法Ｈだけ高位に位置している（図２参照）。
【００２７】
図２及び図６のように、電極３には折返し状の接片３１を有する延出部３２が後方に向けて連設されていて、延出部３２が後壁１６に具備された孔部１８を経て上記接片収容空間１７に延び出し、接片３１がその接片収容空間１７に収容されている。なお、接片３１を一体に備えた電極３は、ハウジング１の背部（後方）から上記孔部１８を通して凹所２１に配備される。
【００２８】
図４、図５又は図７に示したように、ハウジング１の左右（横方向）の各端部壁１５の内面に、その端部壁１５の後端から前端近傍箇所に至る凹所１９が備わっていて、この凹所１９に板片状の導体４が嵌め込まれている。図３に示したように、この導体４は、その前端部に上記凹所１９内で上方に突き出たアース接片４１を有していると共に、その後端部に接続端子４２を有していて、接続端子２４が図示していない接地用回路に接続されるようになっている。
【００２９】
ハウジング１の前端に相手方多極コネクタ１００が挿抜される挿抜口２０が備わっている。また、ハウジング１には、その内部空間において挿抜口２０を閉じる閉位置と挿抜口２０を開放する開位置との間で前後方向にスライドして開閉動されるシャッター５が備わっている。このようにシャッター５が前後方向にスライドして開閉動するようになっていると、シャッター開時の収容スペースをハウジング１の後部に確保するだけで済み、ハウジング１内の上側又は下側にシャッター開時の収容スペースを確保しなくて済むので、ハウジングの薄形化を図りやすい。
【００３０】
上記シャッター５は導電性樹脂材料で一体成形されていて、その左右方向（横方向）の両端部のそれぞれに係合爪５１，５１が後向きに突設されている。図４又は図７のように、係合爪５１には横方向外側に向けて突き出た爪片５２が備わっており、この爪片５２が上記した導体４の上部で上記凹所１９内に収容されて上記アース接片４１の後端面４１ａに対向されている。そして、シャッター５が閉位置に位置しているときには、爪片５２の前端面がアース接片４１の後端面４１ａに図３又は図４のように係合してシャッター５がハウジング１から脱落することを防いでいる。また、爪片５２の前端面がアース接片４１の後端面４１ａに係合している状態では、アース接片４１とシャッター５とが接触して電気的に導通される。これに対し、図７のようにシャッター５が閉位置から開位置に向けて開動されると、アース接片４１の後端面４１ａから爪片５２の前端面が離脱してアース接片４１とシャッター５との電気的導通状態が解除される。したがって、爪片５２の前端面が係合爪５１に対する係脱箇所に相当していて、この爪片５２の前端面がアース接片４１に対する当り部５２ａとなる。シャッター５とハウジング１の後壁１６との間にはコイルばねでなるばね体６が介在されていて、このばね体６によってシャッター５が閉位置に向けて常時弾発付勢されている。
【００３１】
図２に示したように、シャッター５の横方向端部下端に、このシャッター５の下端縁５３と電極３との間に隙間スペースＳを確保するための突起５４が下向きに突き出ている。このようにシャッター５の横方向端部下端に突起５４を設けてシャッター５の下端縁５３と電極３との間に隙間スペースＳを確保しておくと、シャッター５の下端縁５３と電極３との間の電気絶縁性が向上し、しかも、電極３とシャッター５との間の沿面距離も長くなる。そのため、シャッター５が導電性であるにもかかわらず、横に並んだ電極３が相互に電気的な短絡を起こして誤信号を発生するといった事態が起こらない。
【００３２】
この実施形態のシャッター付き多極コネクタにおいて、相手方多極コネクタ１００が挿入されていない未使用時には、図２〜図４のようにばね体６の弾発付勢されたシャッター５が閉位置に位置してハウジング１の挿抜口２０を閉じている。そのため、挿抜口２０からハウジング１の内部に塵芥が入らなくなり、ハウジング１に収容されている電極３やアース接片４１が防塵される。また、シャッター５の当り部５２ａがアース接片４１に接触しているので、シャッター５自体が電磁波シールド性を発揮して外部電磁波を遮断する。そのため、ハウジングに収容されている電極やその電極に電気的に接続される電子素子などの静電破壊が防止される。さらに、シャッター５がハウジング１の底壁１３に接触していても、シャッター５の下端縁５３や突起５４と電極３との間には、少なくとも図２に示した寸法Ｈだけの隙間が確保されるので、導電性のシャッター５が電極３に接触して電極３が相互に短絡してしまうという事態が起こらない。このため、当該多極コネクタを超薄型に形成しても、導電性のシャッター５が電極３に接触することに伴う誤信号の発生などが防止される。
【００３３】
図６及び図７の矢印Ｐのように、相手方多極コネクタ１００（仮想線）が挿抜口２０に挿入されると、シャッター５がばね体６の付勢に抗して相手方多極コネクタ１００により閉位置から開位置に向けて後方へ押し込まれ、それに伴って当り部５２ａがアース接片４１から離脱する。また、相手方多極コネクタ１００に備わっている多数の相手方電極のそれぞれが電極３に各別に接触する。
【００３４】
以上説明したシャッター付き多極コネクタにおいて、シャッター５は導電性樹脂材料で一体成形されているため、シャッター成形用金型に彫刻を施しておくだけでシャッター５の表面に文字や記号などを立体的に表示させることができ、さらに、導電性樹脂材料を調色しておくことによって塗装を施すことなくシャッター５を色付けすることができる。そのため、シャッター５のデザインや色を、当該多極コネクタが組み込まれる携帯端末機器などの外観にマッチさせることが容易である。
【００３５】
この実施形態では、図１のようにシャッター５の下端縁５３と電極３との間に隙間スペースＳを確保するための突起５４を、シャッター５の横方向端部下端に下向きに突き出させることによって、導電性のシャッター５と電極との電気絶縁性を高めてあるけれども、この点は他の構成を採用することも可能である。この事例を図８に示してある。すなわち、図８は突起５４の変形例を説明するための拡大図であり、同図（Ａ）の事例では、ハウジング１の底壁１３に形成されている前側凸条２２の横方向端部に上向きに突き出す突起５４ａを形成することによって、シャッター５の下端縁５３と電極３との間に隙間スペースＳを確保して導電性のシャッター５と電極との電気絶縁性を高めてある。また、同図（Ｂ）の事例では、ハウジング１の底壁１３に形成されている前側凸条２２の等間隔おきの横方向複数箇所に上向きに突き出す突起５４ｂ…を形成することによって、シャッター５の下端縁５３と電極３との間に隙間スペースＳを確保して導電性のシャッター５と電極との電気絶縁性を高めてある。さらに、図示していないけれども、突起をシャッターの下端縁と前側凸条との両方に突き出させることによって、シャッター５の下端縁５３と電極３との間に隙間スペースＳを確保し、導電性のシャッター５と電極との電気絶縁性を高めるようにすること可能である。
【００３６】
【発明の効果】
本発明によれば、未使用時の防塵作用がシャッターによって有効に発揮される。また、未使用時にはシャッター自体が外部電磁波の遮断作用を顕著に発揮して、ハウジングに収容されている電極及びその電極に電気的に導通された携帯端末機器などの電子素子の静電破壊が防止される。そして、シャッターがハウジングから脱落するという事態が、シャッターの係合爪とアース接片の後端面との係合によって防止されるため、シャッターの脱落防止するための手段を別途設ける必要がなくなってそれだけ構造が簡単になる。また、このような脱落防止作用を発揮する係合爪にアース接片に接離する当り部を形成してあるので、当り部を別途設ける必要がなくなり、これによっても構造の簡略化が促進される。しかも、シャッターを導電性樹脂材料で成形することによってシャッターを安価に製作することが可能になるので、当該多極コネクタのコストダウンを図りやすく、その上、シャッターに文字や記号などを表示しやすいのでそのデザイン性を高めやすくなる。さらに、シャッター自体に導電性を持たせてあるにもかかわらず、ハウジングに密に収容されている多数の電極相互間の電気絶縁性を高めやすいという効果が得られる。
【図面の簡単な説明】
【図１】  本発明に係るシャッター付き多極コネクタの実施形態を示した正面図である。
【図２】  図１のＩＩ−ＩＩ線に沿う部分を拡大した概略垂直断面図である。
【図３】  図１のＩＩＩ−ＩＩＩ線に沿う部分を拡大した概略垂直断面図である。
【図４】  図３のＩＶ−ＩＶ線に沿う部分の概略水平断面図である。
【図５】  電極の配列パターンなどを説明するために要部を拡大した示した概略水平断面図である。
【図６】  相手方多極プラグが挿入された状態での図２に相応する概略垂直断面図である。
【図７】  相手方多極プラグが挿入された状態での図４に相応する概略水平断面図である。
【図８】  （Ａ）は突起の変形例を説明するための拡大図、（Ｂ）は突起の他の変形例を説明するための拡大図である。
【符号の説明】
４  導体
５  シャッター
６  ばね体
１３  底壁
１９  凹所
２０  挿抜口
２１  凹所
２２  前側凸条
２３  側部凸条
４１  アース接片
４１ａ  アース接片の後端面
５１  係合爪
５２ａ  当り部
５４，５４ａ，５４ｂ  突起
１００  相手方多極コネクタ
Ｓ  隙間スペース
【図１】
0004576073.tif 000002
【図２】
0004576073.tif 000003
【図３】
0004576073.tif 000004
【図４】
0004576073.tif 000005
【図５】
0004576073.tif 000006
【図６】
0004576073.tif 000007
【図７】
0004576073.tif 000008
【図８】
0004576073.tif 000009